(57)【特許請求の範囲】
【請求項１】
本体ベースとアンテナ部とからなる室内アンテナにおいて，
アンテナ部は，略Ｕ字型で，その両側の基端部が同一軸線上で互いに対向するように形成されたアンテナカバーと，当該アンテナカバーの内部に配置されたアンテナ素線と，からなり，前記基端部の軸線方向中央には，当該基端部の周方向の全周若しくは一部にかけて，当該基端部より外径が大きい止部が設けられており，
前記本体ベースは，基体と，当該基体に被せるカバーとから成り，
前記基体の周囲には前記カバーの開口端と合着される側壁が形成され，該側壁及び前記カバーの開口端には，前記アンテナ部の基端部を回動自在に支持するための一対の軸受部が形成されており，
しかも，前記基体において，前記軸受部より内側には，前記基端部において前記止部よりも内側に位置する部分を，前記基端部の軸線方向に対して直交する方向に圧接して，前記基端部の回動を所定の力で保持する弾性支持片が形成され，更に，該弾性支持片よりも内側には，前記基端部の先端を挿通可能な透孔を有する支持片が形成されており，
前記本体ベースのカバーには，当該カバーを前記基体に被せた際に，前記基体の側壁と前記弾性支持片との間に配置されて，前記基端部に形成された止部を前記弾性支持片との間に位置決めする止片が一体形成されていることを特徴とする室内アンテナ。
【請求項２】
前記支持片において，前記透孔周囲の上端部には，前記アンテナ素線を通すためのアンテナ素線挿通部が設けられていることを特徴とする請求項1に記載の室内アンテナ。
【発明の詳細な説明】
【技術分野】
【０００１】
本発明は，テレビジョン放送又はラジオ放送等を受信するための室内アンテナに関する。
【背景技術】
【０００２】
従来の室内アンテナには，卓上に載置して使用する場合と，壁面等に取付けて使用する２様の取付けを可能にする，卓上・壁面両用型のものが提供されている。（例えば，特許文献１参照）
この室内アンテナによれば，卓上アンテナとして使用する時は，支持手段により支え位置に保持されるスタンドで本体をその後側から支持可能であるので，被設置面に載置して使用する状態での安定性が確保されている。
又，この室内アンテナを壁面等に取り付けて使用する場合は，本体の背部にスタンドを格納した状態で，このスタンドの壁掛け部を利用して壁掛け使用状態とできるから，この状態での被設置面からの出幅が小さくコンパクト化を図ることができる。
【０００３】
【特許文献１】特開２００２−２３７７０９号公報
【発明の開示】
【発明が解決しようとする課題】
【０００４】
しかし，前記構成の室内アンテナは，本体とスタンドとそれに付随する構成部品が必要であり，構成材料の使用量が多く複雑な構成となっており，これによってコストアップとなっていた。
更に，この室内アンテナは，例えばＵＨＦアンテナ素子の取付位置は，卓上に載置した場合も，壁面に取り付けた場合も，アンテナ素子の取付位置が固定されるため，より細かな感度調整ができない構造となっていた。
そこで本願においては，こうした問題点を解決するためになされたものであり，
その目的は，卓上使用状態での安定性を確保すると共に，壁面使用状態においても容易に取付け可能な室内アンテナを提供することにある。
他の目的は，アンテナ素子の感度調整がより細かくできる室内アンテナを提供する。
他の目的は，構成部品の少ない安価な室内アンテナを提供することにある。
他の目的は，梱包容積及び梱包に要する資材を少なくできる室内アンテナを提供することにある。
【課題を解決するための手段】
【０００５】
上記目的を達成するためになされた請求項１に記載の発明は，本体ベースとアンテナ部とからなる室内アンテナにおいて，
アンテナ部は，略Ｕ字型で，その両側の基端部が同一軸線上で互いに対向するように形成されたアンテナカバーと，当該アンテナカバーの内部に配置されたアンテナ素線と，からなり，前記基端部の軸線方向中央には，当該基端部の周方向の全周若しくは一部にかけて，当該基端部より外径が大きい止部が設けられており，
前記本体ベースは，基体と，当該基体に被せるカバーとから成り，
前記基体の周囲には前記カバーの開口端と合着される側壁が形成され，該側壁及び前記カバーの開口端には，前記アンテナ部の基端部を回動自在に支持するための一対の軸受部が形成されており，
しかも，前記基体において，前記軸受部より内側には，前記基端部において前記止部よりも内側に位置する部分を，前記基端部の軸線方向に対して直交する方向に圧接して，前記基端部の回動を所定の力で保持する弾性支持片が形成され，更に，該弾性支持片よりも内側には，前記基端部の先端を挿通可能な透孔を有する支持片が形成されており，
前記本体ベースのカバーには，当該カバーを前記基体に被せた際に，前記基体の側壁と前記弾性支持片との間に配置されて，前記基端部に形成された止部を前記弾性支持片との間に位置決めする止片が一体形成されていることを特徴とする。
また，請求項２に記載の発明は，前記支持片において，前記透孔周囲の上端部には，前記アンテナ素線を通すためのアンテナ素線挿通部が設けられていることを特徴とする。
【発明の効果】
【０００６】
請求項１に記載の室内アンテナによれば，アンテナ部が本体ベースに対して前後に回動自在に取り付けられると共に，アンテナ部の基端部に設けられた止部を本体ベースの止片と弾性支持片との間に位置決めすることで，アンテナ部が外側方向へ抜け出すのを防止するように構成されているので，卓上に載置して使用する場合には，コンパクトで，安定性が非常によく，また，水平方向の感度調整は言うまでもなく，上下方向の感度調整も自在にできる，取り扱い性の高い室内アンテナを提供できる。
また，このアンテナを壁面で使用する場合には，アンテナ部が上下に回動自在となるので，細かい感度調整が可能になると共に，壁面から突出する出幅を小さくして，コンパクト化が可能な室内アンテナを提供できる。
また，アンテナ部の基端部は，単に本体ベースの軸支部に回動自在に支持されるだけでなく，その軸支部よりも内側で，その回転を抑える弾性支持片により支持され，しかも，基端部の先端は，弾性支持片よりも更に内側に形成された支持片の透孔に挿通される。
このため，アンテナ部の感度調整のときに，当該アンテナ部の細かい調整に対して，アンテナ部を僅かな力で確実に固定できると共に，アンテナ部を繰り返し動かしてもその状態を維持する保持力を保つことができる。よって，細かい感度調整が可能となり，信頼性の高い室内アンテナを提供できる。
更に加えて，アンテナ部は，本体ベースに近接若しくは当接させて，コンパクトに収容できることから，このアンテナ全体の梱包容積及び梱包に要する資材も少なくでき，この点においても安価な室内アンテナを提供できる。
次に，請求項２に記載の室内アンテナによれば，支持片の上端部にアンテナ素線挿通部が設けられているので，アンテナ部を本体ベースの基体に取り付けるために，アンテナ部の基端部の先端を支持片の透孔に挿入する際，アンテナ素線挿通部を介してアンテナ部のアンテナ素線を透孔に挿入できる。このため，アンテナ素線をアンテナ部に組み込んだまま，アンテナ部を基体に取り付けることができるようになり，製造時の工数を少なくできる。
【発明を実施するための最良の形態】
【０００７】
以下に，本発明を具体化した実施形態の例を，図面を基に詳細に説明する。
図１は本願の室内アンテナの斜視図である。図２は本願の室内アンテナの分解図である。図３は本願にかかるアンテナ部の枢着部を示す。（ａ）は側面から要部拡大図。（ｂ）Ａ−Ａ線の一部断面図。（ｃ）Ｂ−Ｂ線の一部断面図である。図４は枢着部の要部拡大図である。図５はアンテナ部を取り付ける手順を示す概略図である。図６は本願の室内アンテナを壁面に取り付ける例を示す。
【実施例１】
【０００８】
図において，室内アンテナ１は本体ベース２とアンテナ部３と周知のロッドアンテナ４と，端部に接続プラグ５ａを備えた同軸ケーブル５で構成されている。尚，ロッドアンテナ４は有っても良いし無くても良い。本願の室内アンテナの説明を容易とするために，以下，室内アンテナ１について本体ベース２とアンテナ部３について説明する。
【０００９】
上記本体ベース２は合成樹脂材料（例えばＡＢＳ樹脂，ポリプロピレン樹脂，ポリスチレン樹脂など）でもって成形された基体１０と，中空に形成されたカバー２０とからなる。
基体１０において，１１・１１は基体の略外周を囲うように形成した側壁１０ａに設けた軸受部であり，１２・１２は前記軸受部の軸線に対して左右（図２で示せば上下に）に配置した弾性支持片である。１３・１３は透孔１３ａを有した支持片である。
１５，１５はロッドアンテナ固着部であり，ロッドアンテナ４・４を螺子１５ａ，１５ａで螺着している。１５ｂ・１５ｂは接続端子であり，前記固着部１５と前記螺子１５ａ・１５ａとでもって固着されている。これらの接続端子にはアンテナ素線の先端部４２ａ，４２ｂが接続されている。
１６は同軸ケーブル固着部であり，当該同軸ケーブル固着部１６の中心部には略Ｕ字形の溝が形成され，当該Ｕ字溝には適宜に突部を備えさせると共に，全体的に略く字状に形成されており，この固着部のＵ字溝に同軸ケーブルを嵌め込む事により取り付けと，引く抜け防止を行うのである。
尚，弾性支持片１２・１２，支持片１３・１３，固着部１５・１５，同軸ケーブル固着部１６等は前記基体１０と一体成形されている。
【００１０】
カバー２０において，２１・２１はカバーの開口端２０ａに形成した軸受部であり，２２・２２は前記軸受部２１・２１の軸線に対して左右（図２で示せば上下に）に配置した止片である。
２３はカバー２０の表面側から内側方向に形成した凹部であり，当該凹部には後述する切換手段（本願の実施例では，ロータリースイッチ）をカバー２０の内側方向から取り付けるように構成されている。
【００１１】
アンテナ部３は，合成樹脂材料（例えばＡＢＳ樹脂，ポリプロピレン樹脂，ポリスチレン樹脂など）でもって成形されたアンテナカバーを略Ｕ字形に成形し，アンテナ部の基端部３０を夫々の軸線が同一軸線上になるように，図に示す如く内側方向に対抗配置させた形状を構成している。本願のアンテナ部３のアンテナカバーは夫々金型でもって成形された２つの構成部材からなり，当該構成部材の一方の内部にはアンテナ素線４１を周知の係止手段によって固定した後，この構成部材を合着させてアンテナ部３を形成している。
【００１２】
次に本体ベース２とアンテナ部３との枢着方法について詳細に説明する。
アンテナ部３は上述のようにその材質が合成樹脂材料から形成されており，当該アンテナ部３のアンテナカバーは弾性を有しており，アンテナの形状は夫々ある程度自在に変形することができる。そこで，基端部３０・３０をその軸線方向に対して外側方向に広げながら，当該基端部の内側基端部３０ａを基体１０に設けられた弾性支持片１２・１２に嵌着させる。
【００１３】
この時の概略説を図５に示す。内側基端部３０ａを上方向から弾性支持片１２に当接させる（ａ）。この弾性支持片１２には係止部１２ａが設けられており，前記内側基端部３０ａは係止部１２ａを外側方向に広げながら記端部３０を圧入していく（ｂ）。係止部１２ａを乗り越えた基端部３０は弾性支持片１２・１２に挟まれる形となる。弾性支持片１２・１２の内側に設けた係止部の下部近傍は，基端部の曲率と略同じとなるようにＲを持たせてあり，基端部３０ａと弾性支持片１２・１２との接触面積を適宜な大きさとなるように構成されている。更に，内側基端部３０ａの直径Ｄと弾性支持片１２・１２の間隔Ｌは略等しいか，直径Ｄの方がやや大きくなるようになっており，基端部３０は弾性支持片１２・１２によって所定の力で持って圧接されている（ｃ）。
【００１４】
その後アンテナ部を基の姿に戻しながら，内側基端部３０ａの先端部を，支持片１３に設けた透孔１３ａに挿入する。この時，既に組み込まれたアンテナ部３のアンテナ素線４１を透孔に挿入する必要があるが，この方法では工数が係り，延いては製品単価の上昇につながる。そこで，支持片の上端部にアンテナ素線挿通孔１３ｂを設けることにより，アンテナ素線４１の先端部４１ａ，４１ｂをアンテナ部３に組み込んだまま容易にアンテナ部３を基体１０に取り付けが可能となるのである。
更に，基端部３０の外側基端部３０ｂは基体１０に形成した軸受部１１に当接するように構成されると共に，基端部３０の一部もしくは全周にわたって，当該基端部３０の外径よりやや大きく形成した止部３１が形成されており，当該止部３１は前記弾性支持片１２の側面１２ｂに対して当接するかもしくは近傍となるように配置されている。こうしてアンテナ部３は，基体１０に枢着され，アンテナ部の前後の回動を所定の保持力を有しながら自在とし，基端部３０の軸線に対して直交する方向に対する移動を制限すると共に，基端部３０・３０に加えられる内側方向の力に対しての移動を制限する。
【００１５】
次に，基体１０にアンテナ部３の取り付けが済んだならば，同軸ケーブル５，各アンテナ素線４１ａ，４１ｂ，４２ａ，４２ｂを切換手段４０であるロータリースイッチに配線する。尚，この配線は，構成を簡単に説明するために書いた概略図であり，詳細についてはこの実施例に限定されるものでなく，アンテナ素線ばかりでなく，コイル等の部品を切換手段に接続する場合もあり，限定されるものではない。
【００１６】
切換手段４０に対して同軸ケーブル５，各アンテナ素線４１ａ，４１ｂ，４２ａ，４２ｂの配線が済んだのならば，当該切換手段４０のつまみ部分をカバーの内側方向から凹部２３に形成した透孔(図示されていない)に挿通させた後，カバーの表方向から切換手段４０をナット等で仮固定する。
【００１７】
カバー２０に切換手段４０の仮取り付けがすんだのならば，カバー２０を基体１０に合着させる
このとき，カバー２０の開口端２０ａには前記アンテナ部３と基体１０の取付部の相対向する箇所に，カバーの軸受部２１・２１が形成されており，カバー２０を基体１０に取り付けたときに，当該カバーの軸受部２１・２１と基体の軸受部１１・１１とで前記基端部３０とで挿通孔を構成するようになっている。更に，上述のようにカバーの軸受部２１・２１の近傍には，当該軸受部２１・２１の軸線に対して左右（図２で示せば上下に）に配置した止片２２・２２がカバーと一体的に形成されている。この止片２２・２２はカバー２０を基体１０に合着させたときに，図３で示すように前記止部３１の外側方向に当接若しくは近傍となるように配置してあり，この結果アンテナ部３の止部３１は基体に設けた前記弾性支持片１２・１２と，カバー２０に設けた止片２２・２２とに挟まれるように配置され，これによって，上記アンテナ部３は，基端部３０の軸線の外側方向に対する引き抜けを防止するのである。
【００１８】
カバーの取り付け後は，ナット等で仮固定されている前記切換手段４０をカバーの表側から所定の工具で持って固着するのである。固着された切換手段４０のツマミには更に感度調整ツマミを取り付けて切換を容易にすると共に，デザイン的にもカバーと一体的な形状をしたアンテナと成っている。
本願所実施例においては，基体の底部に透孔１８が形成されており，ナット等を固着するときに，当該透孔18から指先等でもって前記切換手段を固定しながら作業ができるので，組立作業が容易となるように構成されている。
【００１９】
次に，本願の室内アンテナ１を壁面４９等に取り付ける場合について説明する。図６に示すように，本願の基体１０には，壁面取付用の取付孔１９が形成されており，壁面４９にねじ込んだ取り付け用螺子５０のネジ頭を上記取付孔１９に挿入して係止するのである。尚，前記取付孔１９は本願の実施例で示したように基体１０に一体に形成しても良いし，基体１０の背面に基体と略同形状の金属製材料等でできた底板を備えさせ，当該底板に取付孔を形成しても良い。この底板は適宜その大きさと重量を選択することにより，卓上に載置して使用する場合の安定性を優れたものにするばかりでなく，壁面取り付け時の強度アップとなる。
【００２０】
このように，本願の室内アンテナ１は卓上に載置して使用する場合には，コンパクトな設計となっているので，安定性の良が非常によく，更に加えて，アンテナ部が前後に回動自在に構成されているので，水平方向の感度調整は言うまでもなく，上下方向の感度調整も自在にできるので取り扱い性においても利便性の高い室内アンテナを提供で切るのである。
更に，このアンテナを壁面で使用する場合のおいては，アンテナ部が上下に回動自在となることから，上記実施例と同様に細かい感度調整が可能になると共に，壁面から突出する出幅を小さくすることができコンパクト化が可能になるのである。
又，アンテナ部３は基端部３０と弾性支持片１２・１２とを適宜な圧力でもって保持していることから，アンテナ部３の感度調整のときに当該アンテナ部の細かい調整に対して，僅かな力で持って確実に固定することできるし，アンテナ部を繰り返し動かしてもその状態を維持する保持力を保つ信頼性の高い室内アンテナを提供できるのである。
【００２１】
更に加えて，本願の特長を図３に示す。本願の実施例においては，卓上及び壁面取り付け可能な室内アンテナであって，受信帯域の違う２つのアンテナ（本願の実施例では，アンテナ部３とロッドアンテナ４）を備え，当該アンテナを固着する本体ベースを有する室内アンテナにおいて，当該アンテナを本体ベースに組み付けた状態のまま，少なくと一方のアンテナ部（本願ではアンテナ部３）が前後に（壁面取り付けの場合は上下に）１８０°以上回動自在すると共に，前記一方のアンテナ（本願の場合は，アンテナ部３）と他方のアンテナ（本願では，ロッドアンテナ４を）を相互に近接若しくは当接させて，コンパクトに収容可能と構成したことを特徴としているので，このアンテナ全体の梱包容積及び梱包に要する資材も少なくできるので，この点においても安価な室内アンテナを提供できるのである。
【図面の簡単な説明】
【００２２】
【図１】本願のアンテナの斜視図である。
【図２】本願の室内アンテナの分解図である。
【図３】本願にかかるアンテナ部の枢着部を示す。
【図４】アンテナ部の枢着部をし，（ａ）は側面から要部拡大図。（ｂ）Ａ−Ａ線の一部断面図。（ｃ）Ｂ−Ｂ線の一部断面図である。
【図５】アンテナ部を取り付ける手順を示す概略図である。
【図６】本願の室内アンテナを壁面に取り付ける例を示す。
【符号の説明】
【００２３】
１…室内アンテナ，２…本体ケース，３…アンテナ部，４…ロッドアンテナ，５…同軸ケーブル，５ａ…コネクター，１０…基体，１０ａ…側面，１１…軸受部，１２…弾性支持片，１２ａ…係止部，１２ｂ…側面，１３…支持片，１３ａ…透孔，１３ｂ…アンテナ素線挿通孔，１５…ロッドアンテナ固着部，１５ａ…螺子，１５ｂ…接続端子，１６…同軸ケーブル固着部，１８…透孔，１９…取付孔，２０…カバー，２０ａ…開口端，２１…軸受部，２２…止片，２３…凹部，３０…基端部，３０ａ…内側基端部，３０ｂ…外側基端部，３１…止部，切換手段，４１ａ，４１ｂ，４２ａ，４２ｂ…アンテナ素線，４９…壁面，５０…螺子。
【図１】
0004167571.tif 000002
【図２】
0004167571.tif 000003
【図３】
0004167571.tif 000004
【図４】
0004167571.tif 000005
【図５】
0004167571.tif 000006
【図６】
0004167571.tif 000007